(57)【要約】【課題】ＩＣタグ、ＩＣカード等のインレット等の被封入物を封入でき、また、小量、多品種の被封入物にも対応できると共に、封入しやすく、安価に製作できる封入用シートを提供する。【解決手段】裏面１２に粘着面１２０を有する合成樹脂フィルム１０と、合成樹脂フィルム１０の裏面１２の粘着面１２０に剥離可能に粘着する剥離紙２０とからなり、合成樹脂フィルム１０を裏面１２の粘着面１２０側に２つ折り又は３つ折りできるように、表面１１に切目線１１１、ハーフカット線１１２又は押目線１１３による折目１１０を設けて被封入物３０を封入できるようにしたもの。【選択図】        図１
2006341903.tif 000002
【特許請求の範囲】
【請求項１】
裏面に粘着面を有する合成樹脂フィルムと、前記合成樹脂フィルムの裏面の粘着面に剥離可能に粘着する剥離紙とからなり、前記合成樹脂フィルムを粘着面側に２つ折り又は３つ折りできるように、表面に切目線、ハーフカット線又は押目線による折目を設けて被封入物を封入できるようにしたことを特徴とする封入用シート。
【請求項２】
裏面に熱融着面を有する合成樹脂フィルムからなり、前記合成樹脂フィルムを熱融着面側に２つ折り又は３つ折りできるように、表面に切目線、ハーフカット線又は押目線による折目を設けて被封入物を封入できるようにしたことを特徴とする封入用シート。
【請求項３】
前記合成樹脂フィルムが折目により、２つ折り又は３つ折りされたとき、前記合成樹脂フィルムの裏面の粘着面が突出して他物に粘着できるようにしたことを特徴とする請求項１記載の封入用シート。
【請求項４】
前記合成樹脂フィルムの裏面の粘着面が、周囲部分及び折目部分に設けられて被封入物が封入できるように形成されていることを特徴とする請求項１記載の封入用シート。
【請求項５】
折目により分けられた３個のシート部分のうち、１個を窓わくに形成し窓わく内に被封入物を収容して封入できるようにしたことを特徴とする請求項１又は２記載の封入用シート。
【請求項６】
折目により分けられた２個又は３個のシート部分のうち、１個又は２個を窓わくに形成し窓わく内に被封入物を収容して目視できるようにしたことを特徴とする請求項１又は２記載の封入用シート。
【請求項７】
裏面に粘着面を有する合成樹脂フィルムと、前記合成樹脂フィルムの裏面の粘着面に剥離可能に粘着する剥離紙とからなり、前記合成樹脂フィルム及び前記剥離紙を裏面側に２つ折り又は３つ折りできるように、前記合成樹脂フィルムの表面及び前記剥離紙の裏面に切目線、ハーフカット線又は押目線による折目を設けると共に、２つ折りしたときの２個の剥離紙部分のうち１個を剥離し、又は、３つ折りしたときの３個の剥離紙部分のうち２個を剥離して被封入物を封入できるようにしたことを特徴とする封入用シート。
【発明の詳細な説明】
【技術分野】
【０００１】
本発明は、ＩＣタグ、ＩＣカード等のインレット等からなる被封入物を封入するために使用される封入用シートに関する。
【背景技術】
【０００２】
鉄道等の支払用カード、百貨店等の買物用カード等が普及してきたが、いずれも量産方式で製造され、小量、多品種の利用は、生産方式上、経済的に困難であった。しかしながら、最近、ＩＣタグ、ＩＣカード等のインレットが市販されるようになり、リーダー（読み取り）やライター（書き込み）機能をつければ、広い範囲に利用できることになった。
【発明の開示】
【発明が解決しようとする課題】
【０００３】
本発明は、ＩＣタグ、ＩＣカード等のインレット等の被封入物を封入できるようにした封入用シートを提供するものである。
また、本発明は、小量、多品種の被封入物にも対応できる封入用シートを提供するものである。
さらに、本発明は、封入しやすく、安価に製作できる封入用シートを提供するものである。
【課題を解決するための手段】
【０００４】
本発明封入用シートは、上記課題を達成するため、図１乃至図８に示すように、第１発明は、裏面１２に粘着面１２０を有する合成樹脂フィルム１０と、前記合成樹脂フィルム１０の裏面１２の粘着面１２０に剥離可能に粘着する剥離紙２０とからなり、前記合成樹脂フィルム１０を裏面１２の粘着面１２０側に２つ折り又は３つ折りできるように、表面１１に切目線１１１、ハーフカット線１１２又は押目線１１３による折目１１０を設けて被封入物３０を封入できるようにしたものである。
また、本発明封入用シートは、上記課題を達成するため、図９乃至図１６に示すように、第２発明は、裏面１２Ｂに熱融着面１２０Ｂを有する合成樹脂フィルム１０Ｂからなり、前記合成樹脂フィルム１０Ｂを熱融着面１２０Ｂ側に２つ折り又は３つ折りできるように、表面１１Ｂに切目線１１１Ｂ、ハーフカット線１１２Ｂ又は押目線１１３Ｂによる折目１１０Ｂを設けて被封入物３０Ｂを封入できるようにしたものである。
また、第１発明において、図１７乃至図２０に示すように、前記合成樹脂フィルム１０が折目１１０により、２つ折り又は３つ折りされたとき、前記合成樹脂フィルム１０の裏面１２の粘着面１２０が突出して他物に粘着できるようにしたものである。（以下、第３発明という。）
また、第１発明において、図２１に示すように、前記合成樹脂フィルム１０の裏面１２の粘着面１２０が、周囲部分１２１及び折目部分１２２に設けられて被封入物３０が封入できるように形成されているものである。（以下、第４発明という。）
また、第１発明又は第２発明において、図２２及び図２３に示すように、折目１１０又は１１０Ｂにより３つ折りされた３個のフィルム部分のうち、１個を窓わくＷに形成し窓わくＷ内に被封入物３０又は３０Ｂを収容して封入できるようにしたものである。（以下、第５発明という。）
また、第１発明又は第２発明において、図２４及び図２５に示すように、折目１１０又は１１０Ｂにより３つ折りされた３個の前記フィルム部分のうち、１個又は２個を窓わくＷに形成し窓わく内に被封入物３０又は３０Ｂを収容して額縁のように目視できるようにしたものである。（以下、第６発明という。）
さらに、第７発明は、図２６乃至図２９に示すように、裏面１２Ｃに粘着面１２０を有する合成樹脂フィルム１０Ｃと、前記合成樹脂フィルム１０Ｃの裏面１２Ｃの粘着面１２０Ｃに剥離可能に粘着する剥離紙２０Ｃとからなり、前記合成樹脂フィルム１０Ｃ及び前記剥離紙２０Ｃを裏面１２Ｃ側に２つ折り又は３つ折りできるように、前記合成樹脂フィルム１０Ｃの表面１１Ｃ及び前記剥離紙２０Ｃの裏面２２Ｃに切目線、ハーフカット線又は押目線による折目１１０Ｃを設けると共に、２つ折りしたときの２個の剥離紙部分のうち１個を剥離し、又は、３つ折りしたときの３個の剥離紙部分のうち２個を剥離して被封入物３０Ｃを封入できるようにしたものである。
第１発明又は第２発明において、切目線１１１又は１１１Ｂは、合成樹脂フィルム１０又は１０Ｂの厚みに切り抜いた切目を図１乃至図６又は図９乃至図１４に示すように、直線上に複数個設けて２つ折り又は３つ折りの折目１１０又は１１０Ｂとしたもの、ハーフカット線１１２又は１１２Ｂは、図７又は図１５に示すように、合成樹脂フィルム１０又は１０Ｂの厚み以下に表面上に直線的に切って２つ折り又は３つ折りの折目１１０又は１１０Ｂとしたもの、押目線１１３又は１１３Ｂは、図８又は図１６に示すように、合成樹脂フィルム１０又は１０Ｂの表面に直線的に押圧して折目１１０又は１１０Ｂとしたものである。折目１１０又は１１０Ｂは、被封入物の厚み等に応じて複数個平行に設けてもよい。さらに、折目１１０又は１１０Ｂは、例えば、押目線１１３又は１１３Ｂの上にハーフカット線１１２又は１１２Ｂを設けるなど重複して折目１１０又は１１０Ｂを形成してもよい。
第３発明において、折り返し後の粘着面１２０の突出は、図１７及び図１８に示すように粘着面１２０の上に被封入物３０を置いて粘着させる場合と、図１９及び図２０に示すように剥離紙２０の上に被封入物３０を置いたのち合成樹脂フィルム１０の粘着面１２０で被覆し封入して粘着面１２０の一部を突出する場合がある。
第４発明は、図２１に示すように、合成樹脂フィルム１０の粘着面１２０が合成樹脂フィルム１０の裏面１２に全面的に粘着面１２０を設けずに、外周面１２１と折目１１０の周囲面１２２に設けることにより被封入物が粘着されずに封入される場合であるが、合成樹脂フィルム１０の粘着面１２０に被封入物３０が一部粘着して封入される場合も含まれる。
第５発明は、図２２及び図２３に示すように、被封入物３０の厚みに対応した窓枠Ｗを設けて被封入物３０を封入して被封入物３０の厚みに応じ封入面をフラット化する場合である。
第６発明は、図２４及び図２５に示すように、２個の窓わくＷを額縁のように、目視できるようにして被封入物３０を封入したものである。
第７発明は、図２６及び図２７に示すように、一部の剥離紙２０Ｃを残して折り曲げ、厚みを増加したものである。
本発明において、被封入物はＩＣタグ、ＩＣカード又はＩＣラベル等のインレット、液晶、有機ＥＬ、電子ペーパー、Ｅ−ｉｎｋ等の薄型デイスプレイ、薄型太陽電池などが含まれ、また、被封入物は１枚だけでなく複数枚を入れる場合も含まれる。
【発明の効果】
【０００５】
本発明封入シートによれば、被封入物をその厚みに応じて封入することができると共に、見ばえよく封入できる。また、窓わくや剥離紙と共に封入して厚みやシート強度の増大をはかることができる。
また、本発明封入シートによれば、手作業で迅速に被封入物を封入できるので、小量、多品種の被封入物の封入に適し、特に今後発展が期待されるＩＣタグやＩＣカード等のインレットシートのオーバレイシートとして個別的なデザイン、図柄、名称その他の情報を小量、多品種に印刷して提供できる利点がある。
さらに、本発明品は、簡単安価に製作できる上に、インクジェットプリンターやレーザープリンター等によって手軽に印刷できる強みがある。  
【発明を実施するための最良の形態】
【０００６】
本発明品の実施例は、裏面に粘着面を有する合成樹脂フィルムと前記合成樹脂フィルムの裏面の粘着面に剥離可能に粘着する剥離紙とからなるものである。
また、本発明品の実施例は、裏面に熱融着面を有する合成樹脂フィルムからなるものである。
【実施例１】
【０００７】
本発明品の実施例１が図３０乃至図３４に示されている。本発明実施例の封入用シートは、図３０に示すように、裏面１２Ｄに粘着面１２０Ｄを有する合成樹脂フィルム１０Ｄと合成樹脂フィルム１０Ｄの裏面１２Ｄの粘着面１２０Ｄに剥離可能に粘着する剥離紙２０Ｄとからなる。
被封入物３０Ｄは、図３２及び図３３に示すように、非接触型ＩＣカードのインレットシートの一例で、ＩＣチップ３１１Ｄとアンテナ３１２Ｄを設けたコイル・ＩＣ機能シート３１Ｄとこれに結合したＩＣ受皿３２１Ｄを有する厚み調整シート３２Ｄとからなる。
合成樹脂フィルム１０Ｄは、図３０及び図３１に示すように、フィルム１０Ｄの厚み分だけ表面１１Ｄから裏面１２Ｄにかけて一直線上で複数個切り抜くと共に、被封入物３０Ｄの厚み分を間隔として平行に形成した切目線１１１Ｄに、折目１１０Ｄを介して被封入物３０Ｄの厚みに応じて２つ折りできるように形成されている。
従って、剥離紙２０Ｄ付きの合成樹脂フィルム１０Ｄを折目線１１０Ｄを境に、表面１１Ｄの右半分部分に商品や図形デザイン等を印刷し、表面１１Ｄの左半分部分に名称や取扱い注意事項等の情報を印刷してオーバレイシートとし、裏面１２Ｄ側の粘着面１２０Ｄに、図３４に示すように、被封入物３０Ｄであるインレットシートを粘着させれば、非接触型ＩＣカードが、簡単迅速安価に作成されることになる。
【実施例２】
【０００８】
本発明品の実施例２が図３５乃至図３７に示されている。本発明実施例の封入用シートは、図３５に示すように、裏面１２Ｅに熱融着面１２０Ｅを有する合成樹脂フィルム１０Ｅからなる。
被封入物３０Ｅは、アンテナを内蔵したＩＣタグのインサートである。
合成樹脂フィルム１０Ｅは、中央部にフィルム２つ折りの厚みの間隔に相当する平行な２本のハーフカット線１１２Ｅ、１１２Ｅが設けられて折目１１０Ｅを形成している。１１３Ｅ、１１３Ｅは２つ折りして熱融着したときタグ孔を形成するものである。
従って、本発明実施例では、被封入物３０Ｅであるアンテナ付きのＩＣタグインサートを合成樹脂フィルム１０Ｅの裏面に挟着するように２つ折りして熱融着すれば、気密構造のＩＣタグが出来上がり、タグ紐をつければ、商品札などに広く利用できる。
【産業上の利用可能性】
【０００９】
本発明品は、安価に量産できる。
【図面の簡単な説明】
【００１０】
【図１】本発明の封入用シートを一部を切り欠いて断面図で示した説明図である。
【図２】図１を平面図で示した説明図である。
【図３】図１を２つ折りするときの斜視図で示した説明図である。
【図４】本発明の別の封入用シートを一部を切り欠いて断面図で示した説明図である。
【図５】図４を平面図で示した説明図である。
【図６】図４を３つ折りするときの斜視図で示した説明図である。
【図７】本発明の別の封入用シートの一部を切り欠いて断面図で示した説明図である。
【図８】本発明の別の封入用シートの一部を切り欠いて断面図で示した説明図である。
【図９】本発明の別の封入用シートを一部を切り欠いて断面図で示した説明図である。
【図１０】図９を平面図で示した説明図である。
【図１１】図９を２つ折りするときの斜視図で示した説明図である。
【図１２】本発明の別の封入用シートを一部を切り欠いて断面図で示した説明図である。
【図１３】図１２を平面図で示した説明図である。
【図１４】図１２を３つ折りするときの斜視図で示した説明図である。
【図１５】本発明の別の封入用シートの一部を切り欠いて断面図で示した説明図である。
【図１６】本発明の別の封入用シートの一部を切り欠いて断面図で示した説明図である。
【図１７】本発明の別の封入用シートを平面図で示した説明図である。
【図１８】図１５を２つ折りするときの平面図で示した説明図である。
【図１９】本発明の別の封入用シートを平面図で示した説明図である。
【図２０】図１９を２つ折りするときの断面図で示した説明図である。
【図２１】本発明の別の封入用シートを平面図で示した説明図である。
【図２２】本発明の別の封入用シートを平面図で示した説明図である。
【図２３】図２０を３つ折りするときの斜視図で示した説明図である。
【図２４】本発明の別の封入用シートを平面図で示した説明図である。
【図２５】図２２を３つ折りするときの斜視図で示した説明図である。
【図２６】本発明の別の封入用シートを平面図で示した説明図である。
【図２７】図２４を一部を切り欠いて断面図で示した説明図である。
【図２８】本発明の別の封入用シートを平面図で示した説明図である。
【図２９】図２６を３つ折りするときの一部を切り欠いて断面図で示した説明図である。
【図３０】本発明の実施例を示す一部を切り欠いた断面図である。
【図３１】図３０の平面図である。
【図３２】本発明の実施例に使用したＩＣチップ付きアンテナを備えたコイル・ＩＣ機能シートの一例を示す平面図である。
【図３３】本発明の実施例に使用したＩＣ受皿付きの厚み調整シートの一例を示す平面図である。
【図３４】図３０の使用状態を示す一部を切り欠いて示した断面図である。
【図３５】本発明の別の実施例を一部を切り欠いて示した断面図である。
【図３６】図３５の平面図である。
【図３７】図３５の使用状態を示す断面図である。
【符号の説明】
【００１１】
１０、１０Ｂ、１０Ｃ、１０Ｄ、１０Ｅ    合成樹脂フィルム
１０１、１０２、１０３、１０１Ｂ、１０２Ｂ、１０３Ｂ    合成樹脂フィルム部分
１１、１１Ｂ、１１Ｃ、１１Ｄ、１１Ｅ    合成樹脂フィルム表面
１１０、１１０Ｂ、１１０Ｃ、１１０Ｄ、１１０Ｅ    折目
１１１、１１１Ｂ、１１１Ｃ、１１１Ｄ    切目線
１１２、１１２Ｂ、１１２Ｃ、１１２Ｅ    ハーフカット線
１１３、１１３Ｂ、１１３Ｃ    押目線
１２、１２Ｂ、１２Ｃ、１２Ｄ、１２Ｅ    合成樹脂フィルム裏面
１２０Ｂ、１２０Ｅ    合成樹脂フィルム裏面の熱融着面
１２０、１２０Ｃ、１２０Ｄ    合成樹脂フィルム裏面の粘着面
１２１、１２２    合成樹脂フィルム裏面の粘着面部分
２０、２０Ｃ、２０Ｄ    剥離紙
２１Ｃ、２２Ｃ、２３Ｃ    剥離紙部分
３０、３０Ｂ、３０Ｃ、３０Ｄ、３０Ｅ    被封入物
Ｗ    合成樹脂フィルムの窓わく部分
【図１】
2006341903.tif 000003
【図２】
2006341903.tif 000004
【図３】
2006341903.tif 000005
【図４】
2006341903.tif 000006
【図５】
2006341903.tif 000007
【図６】
2006341903.tif 000008
【図７】
2006341903.tif 000009
【図８】
2006341903.tif 000010
【図９】
2006341903.tif 000011
【図１０】
2006341903.tif 000012
【図１１】
2006341903.tif 000013
【図１２】
2006341903.tif 000014
【図１３】
2006341903.tif 000015
【図１４】
2006341903.tif 000016
【図１５】
2006341903.tif 000017
【図１６】
2006341903.tif 000018
【図１７】
2006341903.tif 000019
【図１８】
2006341903.tif 000020
【図１９】
2006341903.tif 000021
【図２０】
2006341903.tif 000022
【図２１】
2006341903.tif 000023
【図２２】
2006341903.tif 000024
【図２３】
2006341903.tif 000025
【図２４】
2006341903.tif 000026
【図２５】
2006341903.tif 000027
【図２６】
2006341903.tif 000028
【図２７】
2006341903.tif 000029
【図２８】
2006341903.tif 000030
【図２９】
2006341903.tif 000031
【図３０】
2006341903.tif 000032
【図３１】
2006341903.tif 000033
【図３２】
2006341903.tif 000034
【図３３】
2006341903.tif 000035
【図３４】
2006341903.tif 000036
【図３５】
2006341903.tif 000037
【図３６】
2006341903.tif 000038
【図３７】
2006341903.tif 000039